(57)【要約】【課題】  画像出力装置間の色合わせをターゲットの用紙の紙白に応じて高い精度で行うことが可能な色調整方法を提供する。【解決手段】  演算制御部３１は、Ｌ＊ａ＊ｂ＊／ＸＹＺ変換部３４を用いて印刷機６の紙白及び校正用カラープリンタ４の基準白色のＬ＊ａ＊ｂ＊値をＸＹＺ値に変換し、印刷機６のＣＭＹＫの強度の値の各組合せに対応するＬ＊ａ＊ｂ＊値をＸＹＺ値に変換し、このＣＭＹＫの強度の値の各組合せに対応するＸＹＺ値に、基準白色のＸＹＺ値を紙白のＸＹＺ値で除算して得られる調整係数を乗算し、この調整されたＸＹＺ値をＬ＊ａ＊ｂ＊／ＸＹＺ変換部３４を用いて逆変換してＬ＊ａ＊ｂ＊値を求め、この求められたＬ＊ａ＊ｂ＊値を用いてデバイスリンクカラープロファイル３５を作成する。【選択図】      図２
2005064841.tif 000002
【特許請求の範囲】
【請求項１】
シアン（Ｃ）、マゼンタ（Ｍ）、イエロー（Ｙ）及びブラック（Ｋ）の４色の基本色の強度の値の組合せに対応する所定の表色系の値が格納された第１のルックアップテーブルと、前記所定の表色系の値に対応する前記基本色の強度の値の組合せが格納された第２のルックアップテーブルとを含む第１のカラープロファイルを、第１及び第２の画像出力装置のそれぞれについて作成し、
前記第１及び第２の画像出力装置の前記第１のカラープロファイルを基に、前記第１の画像出力装置の前記基本色の強度の値の組合せに対応する前記第２の画像出力装置の前記基本色の強度の値の組合せが格納された第２のカラープロファイルを作成し、
前記第２のカラープロファイルを用いて前記第２の画像出力装置の出力色を前記第１の画像出力装置の出力色に合わせるように調整する色調整方法において、
前記第１の画像出力装置で画像の出力を行う用紙の地色の前記所定の表色系の値に対応する前記第２の画像出力装置の前記基本色の強度の値の組合せを求めて前記第２の画像出力装置の基準白色とし、
この基準白色の前記基本色の強度の値の組合せに対応する前記所定の表色系の値を、前記第２の画像出力装置の前記第１のルックアップテーブルを用いて取得し、
取得された前記基準白色の前記所定の表色系の値と前記用紙の地色の前記所定の表色系の値とが一致するように、前記第１の画像出力装置の前記基本色の強度の値の各組合せに対応する前記第２の画像出力装置の前記所定の表色系の値を調整し、
調整された前記所定の表色系の値に対応する前記第２の画像出力装置の前記基本色の強度の値の組合せを、前記第２の画像出力装置の前記第２のルックアップテーブルを用いて取得し、
取得された前記基本色の強度の値の組合せを用いて前記第２のカラープロファイルを作成する、
ことを特徴とする色調整方法。
【請求項２】
前記第１の画像出力装置で画像の出力を行う前記用紙の地色が前記第２の画像出力装置の出力色の色域に含まれているか否か判断し、
前記用紙の地色が前記色域に含まれていないと判断されたことに対応して、前記用紙の地色の前記所定の表色系の値を、前記色域を示す前記所定の表色系の領域に写像し、
この写像により得られた前記所定の表色系の値を、前記基準白色の前記所定の表色系の値と設定する、
ことを特徴とする請求項１記載の色調整方法。
【請求項３】
前記用紙の地色及び前記基準白色の前記所定の表色系の値を他の表色系の値に変換し、
前記第１の画像出力装置の前記基本色の強度の値の各組合せに対応する前記所定の表色系の値を前記他の表色系の値に変換し、
この変換により得られた前記基本色の強度の値の各組合せに対応する前記他の表色系の値を、前記用紙の地色及び前記基準白色の前記他の表色系の値を用いて調整し、
調整された前記他の表色系の値を前記所定の表色系の値に逆変換し、
この逆変換により得られた前記調整された前記所定の表色系の値を基に前記第２のカラープロファイルを作成することを特徴とする請求項１又は請求項２に記載の色調整方法。
【請求項４】
前記調整は、前記基準白色の前記他の表色系の値を前記用紙の地色の前記他の表色系の値で除算して得られる調整係数を、前記変換により得られた前記基本色の強度の値の各組合せに対応する前記他の表色系の値に乗算することにより行われることを特徴とする請求項３記載の色調整方法。
【請求項５】
前記所定の表色系はＬ＊ａ＊ｂ＊表色系であり、前記他の表色系はＸＹＺ表色系であって、
前記用紙の地色及び前記基準白色の前記Ｌ＊ａ＊ｂ＊表色系の値を前記ＸＹＺ表色系の値に変換し、
前記第１の画像出力装置の前記基本色の強度の値の各組合せに対応する前記Ｌ＊ａ＊ｂ＊表色系の値を前記ＸＹＺ表色系の値に変換し、
前記基準白色の前記ＸＹＺ表色系の値を前記用紙の地色の前記ＸＹＺ表色系の値で除算して得られる前記調整係数を、前記基本色の強度の値の各組合せに対応する前記ＸＹＺ表色系の値に乗算し、
この乗算により調整された前記ＸＹＺ表色系の値を前記Ｌ＊ａ＊ｂ＊表色系の値に逆変換し、
この逆変換により得られた前記Ｌ＊ａ＊ｂ＊表色系の値を基に前記第２のカラープロファイルを作成することを特徴とする請求項４記載の色調整方法。
【請求項６】
前記所定の表色系はＬ＊ａ＊ｂ＊表色系であり、前記他の表色系はＲＧＢ表色系であって、
前記用紙の地色及び前記基準白色の前記Ｌ＊ａ＊ｂ＊表色系の値をＸＹＺ表色系の値に変換し、
この変換により得られた前記用紙の地色及び前記基準白色の前記ＸＹＺ表色系の値を前記ＲＧＢ表色系の値に更に変換し、
前記第１の画像出力装置の前記基本色の強度の値の各組合せに対応する前記Ｌ＊ａ＊ｂ＊表色系の値を前記ＸＹＺ表色系の値に変換し、
この変換により得られた前記基本色の強度の値の各組合せに対応する前記ＸＹＺ表色系の値を前記ＲＧＢ表色系の値に更に変換し、
前記基準白色の前記ＲＧＢ表色系の値を前記用紙の地色の前記ＲＧＢ表色系の値で除算して得られる前記調整係数を、前記基本色の強度の値の各組合せに対応する前記ＲＧＢ表色系の値に乗算し、
この乗算により調整された前記ＲＧＢ表色系の値を前記ＸＹＺ表色系の値に逆変換し、
この逆変換により得られた前記ＸＹＺ表色系の値を前記Ｌ＊ａ＊ｂ＊表色系の値に更に逆変換し、
この逆変換により得られた前記Ｌ＊ａ＊ｂ＊表色系の値を基に前記第２のカラープロファイルを作成することを特徴とする請求項４記載の色調整方法。
【請求項７】
前記第１の画像出力装置はカラーの印刷物を出力するための印刷機であり、前記第２の画像出力装置は前記印刷機で出力される印刷物の校正用カラープルーフを出力するための校正用カラープリンタであることを特徴とする請求項１ないし請求項６のいずれか一項に記載の色調整方法。
【請求項８】
請求項１ないし請求項７のいずれか一項に記載の色調整方法をコンピュータに実行させるプログラム。
【請求項９】
請求項８記載のプログラムを記録したコンピュータ読み取り可能な情報記録媒体。
【発明の詳細な説明】
【技術分野】
【０００１】
本発明は、複数の画像出力装置でそれぞれ出力される画像の色合わせを行うための色調整方法、その色調整方法コンピュータに実行させるプログラム、及びそのプログラムを記録したコンピュータ読み取り可能な情報記録媒体に関する。特に、印刷物のデジタルカラープルーフの色再現精度を向上を図るための印刷機と校正用カラープリンタとの間の色調整方法、その色調整方法をコンピュータに実行させるプログラム、及びそのプログラムを記録したコンピュータ読み取り可能な情報記録媒体に関するものである。
【背景技術】
【０００２】
近年、印刷物を実際に印刷する前にその印刷物のデジタルカラープルーフを出力して校正作業を行うことが多くなってきている。このような校正作業を迅速かつ確実に行うためには、カラープルーフの色再現性を向上させる必要がある。つまり、カラープルーフの出力を行う校正用カラープリンタの出力色を印刷機の出力色に適正に合わせ込まなければ、印刷物の発色具合を正確に判断することが難しくなるからである。
【０００３】
校正用カラープリンタと印刷機との色合わせでは、基本色Ｃ（シアン）、Ｍ（マゼンタ）、Ｙ（イエロー）、Ｋ（ブラック）については好適な精度で色再現が可能であるが、Ｒ（レッド）、Ｇ（グリーン）、Ｂ（ブルー）等の２次色、ＣＭＹ３色やＣＭＹＫ４色からなる黒及びそれに近い色などについては、印刷機の出力色に高精度で合わせ込むことは困難であった。そこで、下記の特許文献１に開示されたようなデバイスカラープロファイルによるカラーマネージメントシステムを取り入れた手法を用いて色再現精度の向上が図られている。
【０００４】
この特許文献１に開示された色調整方法は次のようなものである。まず、当該文献の請求項１には、ＣＭＹＫの組合せに応じた（Ｌ＊ａ＊ｂ＊）表色系の値が格納されたＣＭＹＫ→Ｌ＊ａ＊ｂ＊ ＬＵＴと、表色系の値に応じたＣＭＹＫの値が格納されたＬ＊ａ＊ｂ＊→ＣＭＹＫ ＬＵＴとを含んでなるデバイスカラープロファイルを印刷機及び校正用カラープリンタのそれぞれについて作成し、これら２つのデバイスカラープロファイルを基に、印刷機におけるＣＭＹＫの組合せに応じた校正用カラープリンタにおけるＣＭＹＫの値を格納したデバイスリンクカラープロファイルを作成し、印刷機の色にあった出力を校正用カラープリンタで得ることができるようにデバイスリンクカラープロファイルにより画像データについてのＣＭＹＫの値を変換する色調整方法である。なお、デバイスカラープロファイルは、ＣＭＹＫの全色空間に亘る多数の組合せを含むカラーパッチを印刷機や校正用カラープリンタで出力し、測色計により測定された各カラーパッチのＬ＊ａ＊ｂ＊値から求められる。
【０００５】
【特許文献１】特開２００３−７８７７４号公報（明細書〔請求項〕）
【発明の開示】
【発明が解決しようとする課題】
【０００６】
ところで、校正用カラープリンタに用いられる銀塩ペーパー等の感光材料の地色は、印刷機に用いられる印刷用紙の地色（紙白と称することがある）と異なっていることが多い。特に、色の付いた印刷用紙が使用されることも多々ある。このような場合、校正用カラープリンタで忠実に色を再現したとしても、地色の違いから異なる色に見えてしまう。これに対して、紙白に応じた感光材料を備えておくことは、印刷用紙の地色が多種に亘ることから現実的ではない。
【０００７】
また、上記のような従来の色調整方法を用いて何も印刷されていない紙白を表現すると、Ｃ＝Ｍ＝Ｙ＝Ｋ＝０として再現されるので地色が異なって表現されてしまう。また、校正用カラープリンタの出力色を印刷物の紙白の上に印刷される色に合わせるよう制御することができないため、特に、色の付いた印刷用紙に出力された色を忠実に再現することができず、カラープルーフを作成する上で、また校正作業を行う上で問題となっていた。
【０００８】
本発明は、以上のような事情に鑑みてなされたもので、画像出力装置間の色合わせを、色合わせのターゲットの用紙の紙白に応じて高い精度で行うことが可能な色調整方法、その色調整方法をコンピュータに実行させるプログラム、及びそのプログラムを記録したコンピュータ読み取り可能な情報記録媒体を提供することを目的としている。
【課題を解決するための手段】
【０００９】
上記目的を達成するために、請求項１に記載の発明は、シアン（Ｃ）、マゼンタ（Ｍ）、イエロー（Ｙ）及びブラック（Ｋ）の４色の基本色の強度の値の組合せに対応する所定の表色系の値が格納された第１のルックアップテーブルと、前記所定の表色系の値に対応する前記基本色の強度の値の組合せが格納された第２のルックアップテーブルとを含む第１のカラープロファイルを、第１及び第２の画像出力装置のそれぞれについて作成し、前記第１及び第２の画像出力装置の前記第１のカラープロファイルを基に、前記第１の画像出力装置の前記基本色の強度の値の組合せに対応する前記第２の画像出力装置の前記基本色の強度の値の組合せが格納された第２のカラープロファイルを作成し、前記第２のカラープロファイルを用いて前記第２の画像出力装置の出力色を前記第１の画像出力装置の出力色に合わせるように調整する色調整方法において、前記第１の画像出力装置で画像の出力を行う用紙の地色の前記所定の表色系の値に対応する前記第２の画像出力装置の前記基本色の強度の値の組合せを求めて前記第２の画像出力装置の基準白色とし、この基準白色の前記基本色の強度の値の組合せに対応する前記所定の表色系の値を、前記第２の画像出力装置の前記第１のルックアップテーブルを用いて取得し、取得された前記基準白色の前記所定の表色系の値と前記用紙の地色の前記所定の表色系の値とが一致するように、前記第１の画像出力装置の前記基本色の強度の値の各組合せに対応する前記第２の画像出力装置の前記所定の表色系の値を調整し、調整された前記所定の表色系の値に対応する前記第２の画像出力装置の前記基本色の強度の値の組合せを、前記第２の画像出力装置の前記第２のルックアップテーブルを用いて取得し、取得された前記基本色の強度の値の組合せを用いて前記第２のカラープロファイルを作成する、ことを特徴とする。
【００１０】
また、上記目的を達成するために、請求項２に記載の発明は、請求項１記載の色調整方法であって、前記第１の画像出力装置で画像の出力を行う前記用紙の地色が前記第２の画像出力装置の出力色の色域に含まれているか否か判断し、前記用紙の地色が前記色域に含まれていないと判断されたことに対応して、前記用紙の地色の前記所定の表色系の値を、前記色域を示す前記所定の表色系の領域に写像し、この写像により得られた前記所定の表色系の値を、前記基準白色の前記所定の表色系の値と設定する、ことを特徴とする。
【００１１】
また、上記目的を達成するために、請求項３に記載の発明は、請求項１又は請求項２に記載の色調整方法であって、前記用紙の地色及び前記基準白色の前記所定の表色系の値を他の表色系の値に変換し、前記第１の画像出力装置の前記基本色の強度の値の各組合せに対応する前記所定の表色系の値を前記他の表色系の値に変換し、この変換により得られた前記基本色の強度の値の各組合せに対応する前記他の表色系の値を、前記用紙の地色及び前記基準白色の前記他の表色系の値を用いて調整し、調整された前記他の表色系の値を前記所定の表色系の値に逆変換し、この逆変換により得られた前記調整された前記所定の表色系の値を基に前記第２のカラープロファイルを作成することを特徴とする。
【００１２】
また、上記目的を達成するために、請求項４に記載の発明は、請求項３記載の色調整方法であって、前記調整は、前記基準白色の前記他の表色系の値を前記用紙の地色の前記他の表色系の値で除算して得られる調整係数を、前記変換により得られた前記基本色の強度の値の各組合せに対応する前記他の表色系の値に乗算することにより行われることを特徴とする。
【００１３】
また、上記目的を達成するために、請求項５に記載の発明は、請求項４記載の色調整方法であって、前記所定の表色系はＬ＊ａ＊ｂ＊表色系であり、前記他の表色系はＸＹＺ表色系であって、前記用紙の地色及び前記基準白色の前記Ｌ＊ａ＊ｂ＊表色系の値を前記ＸＹＺ表色系の値に変換し、前記第１の画像出力装置の前記基本色の強度の値の各組合せに対応する前記Ｌ＊ａ＊ｂ＊表色系の値を前記ＸＹＺ表色系の値に変換し、前記基準白色の前記ＸＹＺ表色系の値を前記用紙の地色の前記ＸＹＺ表色系の値で除算して得られる前記調整係数を、前記基本色の強度の値の各組合せに対応する前記ＸＹＺ表色系の値に乗算し、この乗算により調整された前記ＸＹＺ表色系の値を前記Ｌ＊ａ＊ｂ＊表色系の値に逆変換し、この逆変換により得られた前記Ｌ＊ａ＊ｂ＊表色系の値を基に前記第２のカラープロファイルを作成することを特徴とする。
【００１４】
また、上記目的を達成するために、請求項６に記載の発明は、請求項４記載の色調整方法であって、前記所定の表色系はＬ＊ａ＊ｂ＊表色系であり、前記他の表色系はＲＧＢ表色系であって、前記用紙の地色及び前記基準白色の前記Ｌ＊ａ＊ｂ＊表色系の値をＸＹＺ表色系の値に変換し、この変換により得られた前記用紙の地色及び前記基準白色の前記ＸＹＺ表色系の値を前記ＲＧＢ表色系の値に更に変換し、前記第１の画像出力装置の前記基本色の強度の値の各組合せに対応する前記Ｌ＊ａ＊ｂ＊表色系の値を前記ＸＹＺ表色系の値に変換し、この変換により得られた前記基本色の強度の値の各組合せに対応する前記ＸＹＺ表色系の値を前記ＲＧＢ表色系の値に更に変換し、前記基準白色の前記ＲＧＢ表色系の値を前記用紙の地色の前記ＲＧＢ表色系の値で除算して得られる前記調整係数を、前記基本色の強度の値の各組合せに対応する前記ＲＧＢ表色系の値に乗算し、この乗算により調整された前記ＲＧＢ表色系の値を前記ＸＹＺ表色系の値に逆変換し、この逆変換により得られた前記ＸＹＺ表色系の値を前記Ｌ＊ａ＊ｂ＊表色系の値に更に逆変換し、この逆変換により得られた前記Ｌ＊ａ＊ｂ＊表色系の値を基に前記第２のカラープロファイルを作成することを特徴とする。
【００１５】
また、上記目的を達成するために、請求項７に記載の発明は、請求項１ないし請求項６のいずれか一項に記載の色調整方法であって、前記第１の画像出力装置はカラーの印刷物を出力するための印刷機であり、前記第２の画像出力装置は前記印刷機で出力される印刷物の校正用カラープルーフを出力するための校正用カラープリンタであることを特徴とする。
【００１６】
また、上記目的を達成するために、請求項８に記載の発明は、請求項１ないし請求項７のいずれか一項に記載の色調整方法をコンピュータに実行させるプログラムである。
【００１７】
また、上記目的を達成するために、請求項９に記載の発明は、請求項８記載のプログラムを記録したコンピュータ読み取り可能な情報記録媒体である。
【発明の効果】
【００１８】
請求項１ないし請求項９に記載の発明によれば、複数の画像出力装置間の色合わせを用紙の地色に応じて高い精度で行うことができる。
【００１９】
特に、請求項２記載の発明によれば、用紙の地色をそのまま再現できない場合であっても、高精度の色合わせを行うことができる。
【発明を実施するための最良の形態】
【００２０】
本発明に係る色調整方法の実施の形態の一例について図面を参照しながら詳細に説明する。以下、複数の画像出力装置間における紙白の出力調整をＸＹＺ表色系で行うための構成を備えた第１の実施の形態と、ＲＧＢ表色系で調整を行うための構成を備えた第２の実施の形態とについてそれぞれ説明する。用紙の紙白は測色計により測定され、Ｌ＊ａ＊ｂ＊表色系の値（Ｌ＊ａ＊ｂ＊値と称する）として得られる。Ｌ＊ａ＊ｂ＊表色系は本発明にいう「所定の表色系」を示し、ＸＹＺ表色系及びＲＧＢ表色系は「他の表色系」を示している。なお、「所定の表色系」及び「他の表色系」はこのような組合せに限定されるものではなく、各種の表色系を適宜用いることができる。
【００２１】
［第１の実施の形態］
本実施形態では、印刷機を色合わせの目標として校正用カラープリンタの出力色を調整する色調整方法を実行するための画像出力システムについて説明する。ここで、印刷機は、本発明にいう「第１の画像出力装置」の一例を示し、校正用カラープリンタは、「第２の画像出力装置」の一例を示している。
【００２２】
図５のフローチャートには、この画像出力システムによる処理の全体の流れの概略が示されている。まず、印刷機でカラーチャートを出力し（Ｓ０１ａ）、測色計でこのカラーチャートを測色してＬ＊ａ＊ｂ＊表色系の値（Ｌ＊、ａ＊、ｂ＊；Ｌ＊ａ＊ｂ＊値と呼ぶ）を求め（Ｓ０２ａ）、このＬ＊ａ＊ｂ＊値を基に印刷機のデバイスカラープロファイルを作成する（Ｓ０３ａ）。同様に、校正用カラープリンタでカラーチャートを出力し（Ｓ０１ｂ）、測色計でこのカラーチャートを測色してＬ＊ａ＊ｂ＊値を求め（Ｓ０２ｂ）、このＬ＊ａ＊ｂ＊値を基に校正用カラープリンタのデバイスカラープロファイルを作成する（Ｓ０３ｂ）。
【００２３】
次に、印刷機のデバイスカラープロファイルと校正用カラープリンタのデバイスカラープロファイルとからデバイスリンクカラープロファイルを作成し（Ｓ０４）、このデバイスリンクカラープロファイルを基に校正用カラープリンタでカラープルーフの出力を行う（Ｓ０５）。
【００２４】
本実施形態の色調整方法は、以上の処理中のデバイスリンクカラープロファイルの作成段階（Ｓ０４）において、印刷物が出力される印刷用紙の地色（紙白）を好適に再現するとともに、この印刷用紙上の出力色を忠実に再現するための処理が含まれていることを特徴とする。なお、上記のデバイスカラープロファイル及びデバイスリンクカラープロファイルの詳細については後述することとする。以下、本実施形態の色調整方法を実行するための画像出力システムの全体構成及び各部の構成についてまず説明した後、この画像出力システムにより実行される色調整方法について説明することとする。
【００２５】
〔システム構成〕
図１は、本実施形態の色調整方法を実行するための画像出力システムの構成の一例を示すブロック図である。同図に示すように、当該画像出力システムは、印刷物の画像編集を行う上流端末である画像編集端末１Ａ〜１Ｃと、ＲＩＰ（Ｒａｓｔｅｒ Ｉｍａｇｅ Ｐｒｏｃｅｓｓｏｒ）２と、印刷物のカラープルーフを出力するための各種の画像変換処理を行うことが可能な画像変換装置３と、カラープルーフやカラーチャート１００を出力するための校正用カラープリンタ４とを含んで構成されている。画像編集端末１Ａ〜１Ｃ、ＲＩＰ２及び画像変換装置３は、ＬＡＮやインターネット等のネットワークＮを介してそれぞれ通信可能に接続されている。
【００２６】
この画像出力システムには、更に、ＲＩＰ２から送信されるデータを直接に刷版に結像して出力することが可能なＣＴＰ出力装置５が設けられている。このＣＴＰ出力装置５により出力された刷版Ｐを印刷機６に装着して印刷処理を行うことにより印刷物Ｆが出力される。また、印刷機６でもカラーチャート（同じく符号１００を用いる）を出力することができる。
【００２７】
また、校正用カラープリンタ４や印刷機６による出力物（特にカラーチャート１００、Ｆ）の色のＬ＊ａ＊ｂ＊表色系の値Ｌ＊、ａ＊、ｂ＊を測定することが可能な測色計７が設けられている。なお、図１に示す構成では、単独の測色計７が設けられているが、校正用カラープリンタ４や印刷機６に内蔵されていてもよい。また、測色計７による測定は、手動で行ってもよく（特に単独に設けられている場合など）、また自動的に行われるようにしてもよい（特に上記の内蔵されている場合など）。
【００２８】
〔画像編集端末の構成〕
画像編集端末１Ａ〜１Ｃは、ＤＴＰの手法を用いて、印刷物の画像データを複数の色版情報に分割して編集するためのアプリケーションソフトウェアがインストールされたコンピュータ端末からなり、コンピュータ本体、キーボード及びモニタ等に加えて、イメージスキャナ等の画像入力機器などを備えている（図示は省略する）。このような画像編集端末は、通常、複数台が設けられている（本実施形態では１Ａ〜１Ｃの３台設けられているが、もちろん１台のみの構成や所望の台数からなる構成としてよい）。各画像編集端末１Ａ〜１Ｃにより編集された画像データは、ネットワークＮを通じてＲＩＰ２に送信されるようになっているのが通常だが、ＲＩＰ２及び画像変換装置３の双方に送信されるようにしてもよい。
【００２９】
〔ＲＩＰの構成〕
ＲＩＰ２は、画像編集端末１Ａ〜１Ｃを用いて編集された印刷物の電子製版の基となる画像データをネットワークＮを通じて受信し、文字やイメージデータを走査しながらビットマップに変換を行うプロセッサとして機能するサーバ等から構成され、ラスタイメージフォーマットのＣ（シアン）、Ｍ（マゼンタ）、Ｙ（イエロー）及びＫ（ブラック）の各基本色の網点画像データを面順次に生成するようになっている。また、校正用カラープリンタで出力される画像の画像データを生成する場合には、網点化を行う前のＣＭＹＫの画像データを生成することができるようになっている。
【００３０】
〔画像変換装置の構成〕
画像変換装置３は、所定の動作プログラムが組み込まれた情報処理装置で、通常のようにコンピュータ本体、キーボード、モニタ等から構成されている。この画像変換装置３は、ＲＩＰ２が生成したＣＭＹＫの画像データをネットワークＮを介して取得し、校正用カラープリンタ４で出力するためにＣＭＹＫ値の色変換を行い、当該色変換の後に網点画像を作成するための構成を備えている。また、この画像変換装置３は、後述する本実施形態の色調整処理を実行するよう構成されている。
【００３１】
以下、図２及び図３を参照して、この画像変換装置３について詳しく説明する。ここで、図２は、画像変換装置３の機能的構成を説明するための機能ブロック図であり、図３は、このような動作を実行するための画像変換装置３のハードウェア構成を示すブロック図である。
【００３２】
（画像変換装置の機能的構成）
図２に示すように、画像変換装置３は、演算制御部３１と、印刷機６のデバイスカラープロファイル３２と、校正用カラープリンタ４のデバイスカラープロファイル３３と、Ｌ＊ａ＊ｂ＊／ＸＹＺ変換部３４と、デバイスリンクカラープロファイル３５と、測色計７による測定結果の入力処理を行う入力処理部３６と、デバイスリンクカラープロファイル３５によりＣＭＹＫの画像データを色変換して更に網点画像を作成するための処理を行う出力処理部３７とを含んで構成されている。
【００３３】
演算制御部３１は、各種の演算処理や装置各部の制御を行うもので、特に、デバイスカラープロファイル３２、３３の作成処理やデバイスリンクカラープロファイル３５の作成処理、更に本実施形態の色調整方法を構成する各段階の処理などを行う。
【００３４】
デバイスカラープロファイル３２は、印刷機６の色出力特性を定義した各種のルックアップテーブル（ＬＵＴと略称する）から構成されている。このデバイスカラープロファイル３２には、印刷機６による基本色Ｃ、Ｍ、Ｙ、Ｋの出力強度の値の各種の組合せに対応するＬ＊ａ＊ｂ＊値が格納されたＣＭＹＫ→Ｌ＊ａ＊ｂ＊ ＬＵＴ３２１と、各種のＬ＊ａ＊ｂ＊値に対応する印刷機６によるＣ、Ｍ、Ｙ、Ｋの出力強度の値の組合せが格納されたＬ＊ａ＊ｂ＊→ＣＭＹＫ ＬＵＴ３２２とが含まれている。
【００３５】
同様に、デバイスカラープロファイル３３には、校正用カラープリンタ４による基本色Ｃ、Ｍ、Ｙ、Ｋの出力強度の値の各種の組合せに対応するＬ＊ａ＊ｂ＊値が格納されたＣＭＹＫ→Ｌ＊ａ＊ｂ＊ ＬＵＴ３３１と、各種のＬ＊ａ＊ｂ＊値に対応する校正用カラープリンタ４によるＣ、Ｍ、Ｙ、Ｋの出力強度の値の組合せが格納されたＬ＊ａ＊ｂ＊→ＣＭＹＫ ＬＵＴ３３２とが含まれている。
【００３６】
ここで、デバイスカラープロファイル３２、３３は、本発明にいう第１のカラープロファイルである。また、ＣＭＹＫ→Ｌ＊ａ＊ｂ＊ ＬＵＴ３２１、３３１は本発明の第１のルックアップテーブルを示し、Ｌ＊ａ＊ｂ＊→ＣＭＹＫ ＬＵＴ３２２、３３２は本発明の第２のルックアップテーブルを示している。
【００３７】
ＣＭＹＫ→Ｌ＊ａ＊ｂ＊ ＬＵＴ３２１、３３１は、入力されたＣ、Ｍ、Ｙ、Ｋの値をＬ＊ａ＊ｂ＊値に変換するために用いられる。また、Ｌ＊ａ＊ｂ＊→ＣＭＹＫ ＬＵＴ３２２、３３２は、入力されたＬ＊ａ＊ｂ＊値をＣ、Ｍ、Ｙ、Ｋの値に変換するために用いられる。なお、Ｌ＊ａ＊ｂ＊表色系の全色空間において校正用カラープリンタ４や印刷機６によるＣＭＹＫ混色の色再現可能範囲は限られているため、Ｌ＊ａ＊ｂ＊の全色空間をＣＭＹＫの色再現可能範囲内に写像する方法を様々に変化させて得られる複数種類の写像方法をＬ＊ａ＊ｂ＊→ＣＭＹＫ ＬＵＴ３２２、３３２に格納し、入力デバイスの種類に応じて選択的に用いるよう構成されているのが一般的である。
【００３８】
Ｌ＊ａ＊ｂ＊／ＸＹＺ変換部３４は、Ｌ＊ａ＊ｂ＊表色系の値をＸＹＺ表色系の値に変換する処理に用いられる変換式と、ＸＹＺ表色系の値をＬ＊ａ＊ｂ＊表色系の値に逆変換する処理に用いられる変換式とを格納している。このような変換処理は、演算制御部３１が当該変換式に数値を代入して演算を行うことにより実行される。以下に示す式１はＬ＊ａ＊ｂ＊表色系の値をＸＹＺ表色系の値に変換するための式を表し、式２はＸＹＺ表色系の値をＬ＊ａ＊ｂ＊表色系の値に変換するための式を表している。
【００３９】
（式１）
Ｙｄ＝（Ｌ＊＋１６）／１１６
Ｘｄ＝ａ＊／５００＋Ｙｄ
Ｚｄ＝Ｙｄ−ｂ＊／２００
Ｘ／Ｘ０＝Ｘｄ＾３                        （Ｘｄ＞＝０．２０６８９３）
＝（Ｘｄ−１６／１１６）／７．７８７（それ以外のとき）
Ｙ／Ｙ０＝Ｙｄ＾３                        （Ｙｄ＞＝０．２０６８９３）
＝（Ｙｄ−１６／１１６）／７．７８７（それ以外のとき）
Ｚ／Ｚ０＝Ｚｄ＾３                        （Ｚｄ＞＝０．２０６８９３）
＝（Ｚｄ−１６／１１６）／７．７８７（それ以外のとき）
【００４０】
（式２）
Ｘｄ＝（Ｘ／Ｘ０）＾（１／３）          （Ｘ／Ｘ０＞０．００８８５６）
＝（Ｘ／Ｘ０）×７．７８７＋１６／１１６  （それ以外のとき）
Ｙｄ＝（Ｙ／Ｙ０）＾（１／３）          （Ｙ／Ｙ０＞０．００８８５６）
＝（Ｙ／Ｙ０）×７．７８７＋１６／１１６  （それ以外のとき）
Ｚｄ＝（Ｚ／Ｚ０）＾（１／３）          （Ｚ／Ｚ０＞０．００８８５６）
＝（Ｚ／Ｚ０）×７．７８７＋１６／１１６  （それ以外のとき）
Ｌ＊＝Ｙｄ×１１６−１６
ａ＊＝５００×（Ｘｄ−Ｙｄ）
ｂ＊＝２００×（Ｙｄ−Ｚｄ）
【００４１】
デバイスリンクカラープロファイル３５は、デバイス間の出力色を合わせるためのＬＵＴで、印刷機６で出力される基本色Ｃ、Ｍ、Ｙ、Ｋ４色の組合せに対する校正用カラープリンタ４のＣ、Ｍ、Ｙ、Ｋ４色の組合せを格納している。このデバイスリンクカラープロファイル３５は、上記のデバイスカラープロファイル３２、３３を基に作成される（作成の詳細は後述する）。作成されたデバイスリンクカラープロファイル３５によりＣＭＹＫの画像データの色変換が行われてカラープルーフ出力時の色が調整される。このデバイスリンクカラープロファイル３５は、本発明にいう第２のカラープロファイルを示している。
【００４２】
本実施形態のデバイスリンクカラープロファイル３５は、例えば、印刷機６のＣ、Ｍ、Ｙ、Ｋの範囲（各々０〜２５５）をそれぞれ２０等分し、各２１点を組み合わせてＣ×Ｍ×Ｙ×Ｋ：２１×２１×２１×２１＝１９４４８１通りの入力点に対応する校正用カラープリンタ４のＣ、Ｍ、Ｙ、Ｋの出力値が定義された４次元入力／４次元出力のＬＵＴとして構成される。
【００４３】
入力処理部３６は、印刷機６や校正用カラープリンタ４で出力されたカラーチャートＦ、１００の測色計７による測定値（Ｌ＊ａ＊ｂ＊値）を入力するための処理を行う入力インターフェイスである。なお、この測定値の入力は、例えば、測色計７と画像変換装置３とを有線又は無線で接続して直接に行ってもよく、ユーザが測定値を手入力するようにしてもよい。また、所定の記録媒体に測定値を記録するための手段を測色計７に設け、この記憶媒体を介して入力するようにしてもよい。
【００４４】
出力処理部３７は、作成されたデバイスリンクカラープロファイル３５によりＣＭＹＫの画像データの色変換と網点化を行い、網点画像データを校正用カラープリンタ４に送信するための処理を行う。
【００４５】
（画像変換装置のハードウェア構成）
次に、以上のような機能的構成を有する画像変換装置３のハードウェア構成について、図３のブロック図を参照して説明する。
【００４６】
画像変換装置３は、所定のプログラムにしたがって演算処理や制御処理を実行するＣＰＵ３０１と、このＣＰＵ３０１によって実行されるプログラムや各種データ等を展開するメインメモリとしてのＲＡＭ３０２と、ＢＩＯＳ等のプログラムなどを保存するＲＯＭ３０３と、ＯＳ等の動作プログラムや各種データ、更にはアプリケーションソフトウェアなどを格納するハードディスクドライブ（ＨＤＤ）３０４と、情報記録媒体に記録されたデータを読み取るための処理、及びデータを情報記録媒体に書き込むための処理を行う読取／書込装置３０５と、キーボードやマウス等の操作手段からの操作信号を処理する操作インターフェイス（操作ＩＦ）３０６と、各種データの入出力を司る入出力インターフェイス（入出力ＩＦ）３０７とを備えている。入出力ＩＦ３０７は、特に、測色計７による測定結果の入力処理を行う（図２も参照）。また、その他にも、モニタへ画像データを送出する表示用インターフェイスなどを備えている。
【００４７】
画像変換装置３は、ＲＯＭ３０３やＨＤＤ３０４に格納されたプログラムやデータをＲＡＭ３０２にコピーし、ＣＰＵ３０１がＲＡＭ３０２にコピーされたプログラムを実行することによって本発明に係る機能を実現するようになっている。当該プログラムは、フロッピー（登録商標）ディスクやＣＤ−ＲＯＭ、ＤＶＤ−ＲＯＭ等の情報記録媒体にあらかじめ記録されており、これを読取／書込装置３０５を用いてインストールすることで、画像変換装置３上で動作されるようになっている。なお、インターネットやＬＡＮ等のネットワーク上のサーバ等からダウンロードして、このプログラムを使用するように構成してもよい。
【００４８】
ＣＰＵ３０１は、画像変換装置３の全体制御や各部の制御、更には各種の演算処理を実行する。このＣＰＵ３０１は、ＲＡＭ３０２に展開される各種のプログラムとともに図２に示す演算制御部３１を構成している。
【００４９】
ＨＤＤ３０４には、ＲＩＰ２からの網点画像データを一時的に格納して処理タイミングを調整するためのバッファとしての記憶領域や、デバイスカラープロファイル３２、３３及びデバイスリンクカラープロファイル３５を格納するための記憶領域、更には、Ｌ＊ａ＊ｂ＊／ＸＹＺ変換部３４の上記の式１及び式２を格納するための記憶領域が設定されている。なお、デバイスカラープロファイル３２、３３、デバイスリンクカラープロファイル３５、及びＬ＊ａ＊ｂ＊／ＸＹＺ変換部３４の式１、２については、ＲＯＭ３０３に記憶されていてもよい。また、ＨＤＤ３０４には、本実施形態の色調整方法を実行するためのプログラムが格納されている。
【００５０】
読取／書込装置３０５は、フロッピー（登録商標）ディスクに対する読取／書込を行うためのフロッピー（登録商標）ディスクドライブ（ＦＤＤ）や、ＣＤ−ＲＯＭ（及び／又はＤＶＤ−ＲＯＭ）に対する読取／書込を行うためのＣＤ（ＤＶＤ）−ＲＯＭドライブなどからなり、用途やシステム構成等に応じて任意の装置を用いることができる。
【００５１】
入出力ＩＦ３０７は、図２中の入力処理部３６及び出力処理部３７として機能するとともに、ＲＩＰ２から送られるＣＭＹＫの画像データの入力処理などを行う。
【００５２】
〔校正用カラープリンタの構成〕
次に、印刷物の校正物としてのカラープルーフを出力する校正用カラープリンタ４について説明する。なお、ここで使用される校正用カラープリンタ４は公知の構成からなるため説明は簡単なものにとどめる。
【００５３】
校正用カラープリンタ４は、赤色（Ｒ）光により感光材料のマゼンタ発色層（Ｍ層）を感光させ、緑色（Ｇ）光により感光材料のシアン発色層（Ｃ層）を感光させ、青色（Ｂ）光により感光材料のイエロー発色層（Ｙ層）を感光させることによって露光処理を行うとともに、これに現像処理を施してカラー画像を形成するようになっている。このＲ、Ｇ、Ｂの光による露光処理は、点順次で画素毎に行われる。なお、感光材料としては、銀塩感光材料等が用いられるのが一般的である。
【００５４】
校正用カラープリンタ４は、画像変換装置３の出力処理部３７により送られる基本色Ｃ、Ｍ、Ｙ、Ｋ（及び特色）に分版された網点画像データを基にカラープルーフ１００を出力する。
【００５５】
〔デバイスカラープロファイルの作成方法〕
次に、印刷機６のデバイスカラープロファイル３２及び校正用カラープリンタ４のデバイスカラープロファイル３３の作成方法について説明する。これらの作成処理は、画像変換装置３の演算制御部３１により実行される。なお、デバイスカラープロファイル３２、３３は、公知の処理に基づいて作成されるため、概略的な説明にとどめることとする。
【００５６】
（ＣＭＹＫ→Ｌ＊ａ＊ｂ＊ ＬＵＴの作成方法）
ＣＭＹＫ→Ｌ＊ａ＊ｂ＊ ＬＵＴ３２１、３３１は、ＣＭＹＫの全色空間に亘って４色を組合せて出力されるカラーパッチを多数配置したカラーチャートＦ、１００を測色計７で測定して求めた各カラーパッチのＬ＊ａ＊ｂ＊値を基に作成される。なお、ＣＭＹＫ→Ｌ＊ａ＊ｂ＊ ＬＵＴ３２１、３３１は同様の方法で作成されるので、ＣＭＹＫ→Ｌ＊ａ＊ｂ＊ ＬＵＴ３２１の作成方法の一例についてのみ説明する。
【００５７】
まず、各Ｃ、Ｍ、Ｙ、Ｋの最小値０〜最大値２５５の範囲を４等分して、０、６４、１２８、１９１、２５５の５段階を考慮し、Ｃ×Ｍ×Ｙ×Ｋ：５×５×５×５＝６２５の組合せの各カラーパッチを配置した図４に示すようなカラーチャートＦを印刷機６で出力する。次に、このカラーチャートＦの各カラーパッチを測色計７で順番に測定し、それぞれのＬ＊ａ＊ｂ＊値を求める。なお、以上は、図５のフローチャート中のＳ０１ａ及びＳ０２ａに示すプロセスである。
【００５８】
ここで、図４に示すカラーチャートにおいて最上段の最も左に配置されたカラーパッチは、Ｃ＝０、Ｍ＝０、Ｙ＝０、Ｋ＝０としたときの出力色を示している。即ち、このカラーパッチを測定することは、印刷機６の紙白のＬ＊ａ＊ｂ＊値を測定することと同義である。
【００５９】
続いて、Ｃ、Ｍ、Ｙ、Ｋの組合せの個数を５×５×５×５から９×９×９×９に拡張する。そのために、各Ｃ、Ｍ、Ｙ、Ｋについて、０〜６４の間の値Ｐ１、６４〜１２８の間の値Ｐ２、１２８〜１９１の間の値Ｐ３、１９１〜２５５の間の値Ｐ４を取る。値Ｐ１ないしＰ４は、例えば各区間の中点とすることができる。更に、上記の６２５通りのカラーパッチを測定して求めたＬ＊ａ＊ｂ＊値から値Ｐ１ないしＰ４に対応するＬ＊ａ＊ｂ＊値を算出し、それぞれ５通りのＣ、Ｍ、Ｙ、Ｋの値を９通りに拡張する。これにより、Ｃ×Ｍ×Ｙ×Ｋ：９×９×９×９＝６５６１通りの入力点に対応するＬ＊ａ＊ｂ＊値を備えたＣＭＹＫ→Ｌ＊ａ＊ｂ＊ ＬＵＴ３２１が得られる。なお、値Ｐ１ないしＰ４に対応するＬ＊ａ＊ｂ＊値の具体的な算出方法については、例えば、本出願人による特開２００３−７８７７４号公報に開示されている。
【００６０】
（Ｌ＊ａ＊ｂ＊→ＣＭＹＫ ＬＵＴの作成方法）
次に、Ｌ＊ａ＊ｂ＊→ＣＭＹＫ ＬＵＴ３２２、３３２の作成方法について説明する。ここでも、Ｌ＊ａ＊ｂ＊→ＣＭＹＫ ＬＵＴ３２２の作成方法についてのみ説明する。なお、当該作成方法は、本出願人による上記文献に詳細に開示されており、４段階の処理により構成されている。
【００６１】
まず、第１段階として、ＣＭＹＫ→Ｌ＊ａ＊ｂ＊ ＬＵＴ３２１のＣ×Ｍ×Ｙ×Ｋ：９×９×９×９に対応するＬ＊ａ＊ｂ＊値を、Ｃ×Ｍ×Ｙ：９×９×９に対応するＬ＊ａ＊ｂ＊値に変換する。即ち、４次元データを３次元データに変換する。これは、例えば、ＣＭＹの最小値からなるグレー成分を強調するために加えられるＫの値を求め、各Ｃ、Ｍ、Ｙの組合せにそのＫを加えた場合のＬ＊ａ＊ｂ＊値をＣ、Ｍ、Ｙの各組合せに対応するＬ＊ａ＊ｂ＊値として定義することによりなされる。
【００６２】
続いて、第２段階として、このＣ×Ｍ×Ｙ：９×９×９の３次元データを用いてＬ＊ａ＊ｂ＊→ＣＭＹＫ ＬＵＴ３２２を求める。そのために、Ｃ×Ｍ×Ｙ：９×９×９＝７２９の値を格子点とみなしてＣＭＹの３次元空間（ＣＭＹ空間と呼ぶ）を分割するとともに、このＣＭＹ空間をＬ＊ａ＊ｂ＊表色系の３次元空間に写像する。Ｌ＊ａ＊ｂ＊表色系の空間内に写像されたＣＭＹ空間の像を色域と呼ぶこととする。また、Ｃ×Ｍ×Ｙの格子点の上記写像による像を格子点像と呼ぶこととする。
【００６３】
色域内に、（格子点像と一致しない）目標値Ｔ′を取る。目標値Ｔ′は、格子状に分割された色域内の或る領域Ｒ′に存在する。領域Ｒ′は、８つの格子点像を頂点としている。このとき、目標値Ｔ′に対応するＣＭＹ空間の点Ｔは、当該８つの格子点像に対応する８つの格子点に囲まれた領域Ｒに存在すると推定される。点Ｔが領域Ｒのどこに位置するかは、ＣＭＹ空間とＬ＊ａ＊ｂ＊表色系の空間との対応関係に基づく収束演算処理によって求められる。この収束演算処理は、領域Ｒ及び領域Ｒ′を段階的に分割し、各段階における分割領域のうちどの分割領域に点Ｔ及び目標値Ｔ′が含まれているか判断することにより実行される。なお、このような収束演算処理に依存しなければならないのは、ＣＭＹ座標系からＬ＊ａ＊ｂ＊表色系の空間への変換式が既知であるのに対し、その逆の変換を表す適当な変換式が未だ知られていないためである。
【００６４】
Ｌ＊ａ＊ｂ＊表色系の空間の目標値Ｔ′が色域の外に位置する場合には、この目標値Ｔ′を無彩色方向に色域の境界位置まで移動させ、この境界位置を色再現する目標値と定義する。これにより、厳密に再現することができない色を、その色に可能な限り近い色として出力することができる。
【００６５】
このような演算処理を行うことにより、Ｌ＊×ａ＊×ｂ＊：３３×３３×３３＝３５９３７通りのＬＵＴ入力点に対応するＣ、Ｍ、Ｙの値を求める。なお、Ｌ＊は０〜１００、ａ＊は−１２７〜１２８、ｂ＊は−１２７〜１２８の範囲において定義されている。
【００６６】
また、上述のような収束演算の他にも、本出願人による特許第２８９５０８６号の明細書に記載されているような補間方法を用いてもよい。
【００６７】
次に、第３段階として、第２段階で求めたＬ＊×ａ＊×ｂ＊：３３×３３×３３のＬＵＴ入力点に対応するＣ、Ｍ、Ｙの値を基にＫの値を計算する。
【００６８】
最後に、第４段階として、第２段階で求めたＬ＊×ａ＊×ｂ＊：３３×３３×３３のＬＵＴ入力点に対応するＣ、Ｍ、Ｙの値と、第３段階で求めたＫの値とを基に各入力点に対応するＣ、Ｍ、Ｙ、Ｋの値を求めてＬＵＴ化し、Ｌ＊ａ＊ｂ＊→ＣＭＹＫ ＬＵＴ３２２を作成する。
【００６９】
〔デバイスリンクカラープロファイルの作成方法〕
次に、デバイスリンクカラープロファイル３５の作成方法について説明する。上述したように、本実施形態の色調整方法は、このデバイスリンクカラープロファイル３５の作成処理に特徴を備えている。なお、当該作成処理は、画像変換装置３の演算制御部３１によって実行される。
【００７０】
（デバイスリンクカラープロファイル作成処理の全体の流れ）
図６に示すフローチャートを参照して、デバイスリンクカラープロファイル３５の作成処理の全体の流れについて説明する。
【００７１】
まず、演算制御部３１は、印刷機６のデバイスカラープロファイル３２のＣＭＹＫ→Ｌ＊ａ＊ｂ＊ ＬＵＴ３２１、及び校正用カラープリンタ４のデバイスカラープロファイル３３のＬ＊ａ＊ｂ＊→ＣＭＹＫ ＬＵＴ３３２を用いて、印刷機６の紙白のＬ＊ａ＊ｂ＊値に対応する校正用カラープリンタ４のＣＭＹＫの組合せを求める（Ｓ１１）。具体的には、印刷機６の紙白を示すＣ＝０、Ｍ＝０、Ｙ＝０、Ｋ＝０の組合せに対応するＬ＊ａ＊ｂ＊値Ｌ＊ｐ、ａ＊ｐ、ｂ＊ｐをＣＭＹＫ→Ｌ＊ａ＊ｂ＊ ＬＵＴ３２１から求め、この紙白のＬ＊ａ＊ｂ＊値Ｌ＊ｐ、ａ＊ｐ、ｂ＊ｐに対応する校正用カラープリンタ４のＣＭＹＫの組合せをＬ＊ａ＊ｂ＊→ＣＭＹＫ ＬＵＴ３３２を基に求める。
【００７２】
次に、校正用カラープリンタ４のＣＭＹＫ→Ｌ＊ａ＊ｂ＊ ＬＵＴ３３１を用いて、Ｓ１１で求めたＣＭＹＫの組合せに対応するＬ＊ａ＊ｂ＊値Ｌ＊ｒ、ａ＊ｒ、ｂ＊ｒを取得する（Ｓ１２）。更に、このＬ＊ａ＊ｂ＊値Ｌ＊ｒ、ａ＊ｒ、ｂ＊ｒを校正用カラープリンタ４の基準白色として設定する（Ｓ１３）。この設定情報は、例えばＲＡＭ３０２やＨＤＤ３０４に記憶される。なお、印刷機６の紙白に対応するＬ＊ａ＊ｂ＊値が校正用カラープリンタ４の色域に含まれていない場合には、Ｌ＊ａ＊ｂ＊値を変更して色域内に写像する。この写像処理は、例えば明度を示すＬ＊値のみを変更することにより行われる。このとき、写像によるＬ＊ａ＊ｂ＊値の変更量を小さくするため、色域の境界上に写像することが望ましい。このような写像処理を行う場合には、写像後のＬ＊ａ＊ｂ＊値を上記のＬ＊ｒ、ａ＊ｒ、ｂ＊ｒとする。
【００７３】
続いて、印刷機６の紙白のＬ＊ａ＊ｂ＊値Ｌ＊ｐ、ａ＊ｐ、ｂ＊ｐと校正用カラープリンタ４の基準白色のＬ＊ａ＊ｂ＊値Ｌ＊ｒ、ａ＊ｒ、ｂ＊ｒとを一致させるように、印刷機６のＣＭＹＫの各組合せＣ、Ｍ、Ｙ、Ｋに対応する校正用カラープリンタ４のＬ＊ａ＊ｂ＊値Ｌ＊、ａ＊、ｂ＊を調整する（Ｓ１４）。調整されたＬ＊ａ＊ｂ＊値をＬ＊′、ａ＊′、ｂ＊′とする。なお、この調整処理については、図７に示すフローチャートを基に後述することとする。
【００７４】
最後に、校正用カラープリンタ４のＬ＊ａ＊ｂ＊→ＣＭＹＫ ＬＵＴ３３２を用いて、調整されたＬ＊ａ＊ｂ＊値Ｌ＊′、ａ＊′、ｂ＊′に対応するＣＭＹＫの組合せＣ′、Ｍ′、Ｙ′、Ｋ′を取得し（Ｓ１５）、印刷機６のＣＭＹＫの各組合せＣ、Ｍ、Ｙ、Ｋに、校正用カラープリンタ４の調整されたＣＭＹＫの組合せＣ′、Ｍ′、Ｙ′、Ｋ′を対応付けることにより、デバイスリンクカラープロファイル３５を作成する（Ｓ１６）。
【００７５】
以上のように、校正用カラープリンタ４の基準白色を印刷機６の紙白に合わせ込むとともに、この合わせ込みに応じた校正用カラープリンタ４の出力色の色調整処理を行うことにより、印刷機６の紙白に応じた再現色の色調整を実行することが可能となる。
【００７６】
（色調整処理の具体的構成）
以下、校正用カラープリンタ４の出力色の色調整処理（上記のＳ１４段階の処理）について、図７に示すフローチャートを参照して具体的に説明する。
【００７７】
（紙白及び基準白色のＬ＊ａ＊ｂ＊値をＸＹＺ値に変換；Ｓ２１）
まず、Ｌ＊ａ＊ｂ＊／ＸＹＺ変換部３４に格納された変換式（上記の式１を参照）を用いて、印刷機６の紙白のＬ＊ａ＊ｂ＊値Ｌ＊ｐ、ａ＊ｐ、ｂ＊ｐをＸＹＺ表色系の値（ＸＹＺ値）Ｘｐ／Ｘ０、Ｙｐ／Ｙ０、Ｚｐ／Ｚ０に変換するとともに、校正用カラープリンタ４の基準白色のＬ＊ａ＊ｂ＊値Ｌ＊ｒ、ａ＊ｒ、ｂ＊ｒをＸＹＺ値Ｘｒ／Ｘ０、Ｙｒ／Ｙ０、Ｚｒ／Ｚ０に変換する。つまり、Ｘｐ／Ｘ０、Ｙｐ／Ｙ０、Ｚｐ／Ｚ０及びＸｒ／Ｘ０、Ｙｒ／Ｙ０、Ｚｒ／Ｚ０はそれぞれ次の式３及び式４により与えられる。
【００７８】
（式３）
Ｙｄｐ＝（Ｌ＊ｐ＋１６）／１１６
Ｘｄｐ＝ａ＊ｐ／５００＋Ｙｄｐ
Ｚｄｐ＝Ｙｄｐ−ｂ＊ｐ／２００
及び
Ｙｄｒ＝（Ｌ＊ｒ＋１６）／１１６
Ｘｄｒ＝ａ＊ｒ／５００＋Ｙｄｒ
Ｚｄｒ＝Ｙｄｒ−ｂ＊ｒ／２００
【００７９】
（式４）
Ｘｐ／Ｘ０＝Ｘｄｐ＾３                    （Ｘｄｐ≧０．２０６８９３）
＝（Ｘｄｐ−１６／１１６）／７．７８７（それ以外のとき）
Ｙｐ／Ｙ０＝Ｙｄｐ＾３                    （Ｙｄｐ≧０．２０６８９３）
＝（Ｙｄｐ−１６／１１６）／７．７８７（それ以外のとき）
Ｚｐ／Ｚ０＝Ｚｄｐ＾３                    （Ｚｄｐ≧０．２０６８９３）
＝（Ｚｄｐ−１６／１１６）／７．７８７（それ以外のとき）
及び
Ｘｒ／Ｘ０＝Ｘｄｒ＾３                    （Ｘｄｒ≧０．２０６８９３）
＝（Ｘｄｒ−１６／１１６）／７．７８７（それ以外のとき）
Ｙｒ／Ｙ０＝Ｙｄｒ＾３                    （Ｙｄｒ≧０．２０６８９３）
＝（Ｙｄｒ−１６／１１６）／７．７８７（それ以外のとき）
Ｚｒ／Ｚ０＝Ｚｄｒ＾３                    （Ｚｄｒ≧０．２０６８９３）
＝（Ｚｄｒ−１６／１１６）／７．７８７（それ以外のとき）
【００８０】
（印刷機の各Ｌ＊ａ＊ｂ＊値をＸＹＺ値に変換；Ｓ２２）
次に、このＸｐ／Ｘ０、Ｙｐ／Ｙ０、Ｚｐ／Ｚ０及びＸｒ／Ｘ０、Ｙｒ／Ｙ０、Ｚｒ／Ｚ０を用いて、ＣＭＹＫ→Ｌ＊ａ＊ｂ＊ ＬＵＴ３２１の各入力点に対応するＬ＊ａ＊ｂ＊値を調整するための処理を行う。そのために、まず、印刷機６のＣＭＹＫの各組合せに対応するＬ＊ａ＊ｂ＊値を、Ｌ＊ａ＊ｂ＊／ＸＹＺ変換部３４に格納された式１に示す変換式を用いて、上述のＳ２１段階と同様にＸＹＺ値Ｘ／Ｘ０、Ｙ／Ｙ０、Ｚ／Ｚ０を求める。
【００８１】
（ＸＹＺ値の調整；Ｓ２３）
次に、この印刷機６の各Ｌ＊ａ＊ｂ＊値に対応するＸＹＺ値Ｘ／Ｘ０、Ｙ／Ｙ０、Ｚ／Ｚ０を、印刷機６の紙白のＬ＊ａ＊ｂ＊値Ｌ＊ｐ、ａ＊ｐ、ｂ＊ｐと校正用カラープリンタ４の基準白色のＬ＊ａ＊ｂ＊値Ｌ＊ｒ、ａ＊ｒ、ｂ＊ｒとが一致されるように調整する。この調整処理は、紙白のＬ＊ａ＊ｂ＊値Ｌ＊ｐ、ａ＊ｐ、ｂ＊ｐのＸＹＺ値Ｘｐ／Ｘ０、Ｙｐ／Ｙ０、Ｚｐ／Ｚ０と、基準白色のＬ＊ａ＊ｂ＊値Ｌ＊ｒ、ａ＊ｒ、ｂ＊ｒのＸＹＺ値Ｘｒ／Ｘ０、Ｙｒ／Ｙ０、Ｚｒ／Ｚ０とを用いて、次の式５に示す各式のように行われる。
【００８２】
（式５）
Ｘ２／Ｘ０＝（Ｘ／Ｘ０）×｛（Ｘｒ／Ｘ０）／（Ｘｐ／Ｘ０）｝
Ｙ２／Ｙ０＝（Ｙ／Ｙ０）×｛（Ｙｒ／Ｙ０）／（Ｙｐ／Ｙ０）｝
Ｚ２／Ｚ０＝（Ｚ／Ｚ０）×｛（Ｚｒ／Ｚ０）／（Ｚｐ／Ｚ０）｝
【００８３】
即ち、印刷機６の各Ｌ＊ａ＊ｂ＊値に対応するＸ値Ｘ／Ｘ０の調整値Ｘ２／Ｘ０は、基準白色のＸ値を紙白のＸ値で除算した値（Ｘｒ／Ｘ０）／（Ｘｐ／Ｘ０）（この値を（Ｘ値の）調整係数と呼ぶ）を、元のＸ値Ｘ／Ｘ０に乗算することによって得られる。このとき、印刷機６の紙白のＬ＊ａ＊ｂ＊値にＸ値Ｘｐ／Ｘ０の調整値は、（Ｘｐ／Ｘ０）×｛（Ｘｒ／Ｘ０）／（Ｘｐ／Ｘ０）｝＝Ｘｒ／Ｘ０となり、校正用カラープリンタ４の基準白色のＸ値と一致する。また、印刷機６の各Ｌ＊ａ＊ｂ＊値に対応するＹ値Ｙ／Ｙ０の調整値Ｙ２／Ｙ０及びＺ値Ｚ／Ｚ０の調整値Ｚ２／Ｚ０についても同様である。
【００８４】
（Ｌ＊ａ＊ｂ＊値に逆変換；Ｓ２４）
次に、このＸ２／Ｘ０、Ｙ２／Ｙ０、Ｚ２／Ｚ０に次の式６及び式７に示す変換を施して、調整されたＬ＊ａ＊ｂ＊値Ｌ＊′、ａ＊′、ｂ＊′を求める。
【００８５】
（式６）
Ｘｄ′＝（Ｘ２／Ｘ０）＾（１／３）    （Ｘ２／Ｘ０＞０．００８８５６）
＝（Ｘ２／Ｘ０）×７．７８７＋１６／１１６    （それ以外のとき）
Ｙｄ′＝（Ｙ２／Ｙ０）＾（１／３）    （Ｙ２／Ｙ０＞０．００８８５６）
＝（Ｙ２／Ｙ０）×７．７８７＋１６／１１６    （それ以外のとき）
Ｚｄ′＝（Ｚ２／Ｚ０）＾（１／３）    （Ｚ２／Ｚ０＞０．００８８５６）
＝（Ｚ２／Ｚ０）×７．７８７＋１６／１１６    （それ以外のとき）
【００８６】
（式７）
Ｌ＊′＝Ｙｄ′×１１６−１６
ａ＊′＝５００×（Ｘｄ′−Ｙｄ′）
ｂ＊′＝２００×（Ｙｄ′−Ｚｄ′）
【００８７】
印刷機６のＣＭＹＫの各組合せ毎に上記の処理を実行して得られるＬ＊ａ＊ｂ＊値Ｌ＊′、ａ＊′、ｂ＊′を用いて、デバイスリンクカラープロファイル３５が作成される（図６のフローチャートのＳ１５段階及びＳ１６段階参照）。
【００８８】
本実施形態の色調整方法によれば、校正用カラープリンタ４の基準白色が印刷機６の紙白と一致するように調整が行われるとともに、デバイスリンクカラープロファイル３５のＣＭＹＫの各入力値についても基準白色と同様に調整されているので、印刷用紙の地色に応じた好適な色再現が可能となる。
【００８９】
ここで、本実施形態の色調整方法による色合わせの一実施例の結果について述べる。印刷用紙としては、地色のＬ＊ａ＊ｂ＊値がＬ＊＝８６．６、ａ＊＝−９．７、ｂ＊＝−６．７の水色のものを用い、校正用カラープリンタの感光材料としては、Ｌ＊ａ＊ｂ＊値がＬ＊＝９０．０、ａ＊＝−０．２、ｂ＊＝−０．８のものを用いた。
【００９０】
このとき、本実施形態の色調整方法により求められる、印刷用紙の紙白に合う校正用カラープリンタのＣＭＹＫの組合せは、Ｃ＝２３％、Ｍ＝０％、Ｙ＝８％、Ｋ＝０％であった。このＣＭＹＫの組合せに相当する校正用カラープリンタの基準白色のＬ＊ａ＊ｂ＊値は、Ｌ＊＝８４．３、ａ＊＝−７．９、ｂ＊＝−６．８となり、印刷用紙の紙白のＬ＊ａ＊ｂ＊値Ｌ＊＝８６．６、ａ＊＝−９．７、ｂ＊＝−６．７を好適に再現していることが分かる。
【００９１】
［第２の実施の形態］
次に、本発明に係る色調整方法の他の実施形態について説明する。上記した第１の実施形態では、用紙の地色の調整処理をＸＹＺ表色系の値を用いて行うようになっている。一方、本実施形態では、この調整処理を別の表色系（ＲＧＢ表色系）の値を用いて行う。本実施形態の色調整方法は、第１の実施形態とほぼ同様の画像出力システムで実行することができる。
【００９２】
本実施形態の色調整方法を実行する画像出力システムの画像変換装置３は、図８のブロック図に示すようなＸＹＺ／ＲＧＢ変換部３８を更に備えている。このＸＹＺ／ＲＧＢ変換部３８は、ＸＹＺ表色系の値をＲＧＢ表色系の値に変換する処理に用いられる変換式と、ＲＧＢ表色系の値をＸＹＺ表色系の値に逆変換する処理に用いられる変換式とを格納している。このような変換処理は、演算制御部３１が当該変換式に数値を代入して演算を行うことにより実行される。以下に示す式８は、ＸＹＺ表色系の値（Ｘ／Ｘ０、Ｙ／Ｙ０、Ｚ／Ｚ０）をＲＧＢ表色系の値（Ｒ、Ｇ、Ｂ）に変換するための式を表している。また、式９は、ＲＧＢ表色系（Ｒ、Ｇ、Ｂ）の値をＸＹＺ表色系の値（Ｘ／Ｘ０、Ｙ／Ｙ０、Ｚ／Ｚ０）に逆変換するための式を表している。式７に示す変換は、３×３行列によるマトリクス変換であり、また、式８に示す変換は、この３×３行列の逆行列によるマトリクス変換である。なお、ＲＧＢ表色系の値をＲＧＢ値と略称することとする。
【００９３】
（式８）
Ｒ＝（Ｘ／Ｘ０）×０．８９５１＋（Ｙ／Ｙ０）×０．２６６４
＋（Ｚ／Ｚ０）×（−０．１６１４）
Ｇ＝（Ｘ／Ｘ０）×（−０．７５０２）＋（Ｙ／Ｙ０）×１．７１３５
＋（Ｚ／Ｚ０）×０．０３６７
Ｂ＝（Ｘ／Ｘ０）×０．０３８９＋（Ｙ／Ｙ０）×（−０．０６８５）
＋（Ｚ／Ｚ０）×１．０２９６
【００９４】
（式９）
Ｘ／Ｘ０＝Ｒ×０．９８７＋Ｇ×（−０．１４７１）＋Ｂ×０．１６
Ｙ／Ｙ０＝Ｒ×０．４３２３＋Ｇ×０．５１８４＋Ｂ×０．０４９３
Ｚ／Ｚ０＝Ｒ×（−０．００８５）＋Ｇ×０．０４＋Ｂ×０．９６８５
【００９５】
以下、本実施形態の色調整方法による処理の一例について説明する。本実施形態におけるデバイスカラープロファイル３２、３３の作成方法は、第１の実施形態のそれを踏襲することとする。また、デバイスリンクカラープロファイル３５の作成方法についても、調整処理を行う表色系の種類以外は第１の実施形態と同様である。したがって、図５及び図６のフローチャートを適宜参照つつ、図９のフローチャートに示す本実施形態のデバイスリンクカラープロファイル３５の作成処理について説明することとする。なお、図９に示す処理は、第１の実施形態の図７に示す処理に代わって実行されるものである。
【００９６】
まず、図６のＳ１１に示すように、印刷機６のデバイスカラープロファイル３２のＣＭＹＫ→Ｌ＊ａ＊ｂ＊ ＬＵＴ３２１を用いて、印刷機６の紙白（Ｃ＝Ｍ＝Ｙ＝Ｋ＝０）に対応するＬ＊ａ＊ｂ＊値Ｌ＊ｐ、ａ＊ｐ、ｂ＊ｐを求める。更に、校正用カラープリンタ４のデバイスカラープロファイル３３のＬ＊ａ＊ｂ＊→ＣＭＹＫ ＬＵＴ３３２を用いて、Ｌ＊ｐ、ａ＊ｐ、ｂ＊ｐに対応するＣ、Ｍ、Ｙ、Ｋの値を求める。
【００９７】
次に、図６のＳ１２に示すように、校正用カラープリンタ４のデバイスカラープロファイル３３のＣＭＹＫ→Ｌ＊ａ＊ｂ＊ ＬＵＴ３３１を用いて、紙白（Ｌ＊ｐ、ａ＊ｐ、ｂ＊ｐ）に対応するＣ、Ｍ、Ｙ、Ｋの値に相当するＬ＊ａ＊ｂ＊値Ｌ＊ｒ、ａ＊ｒ、ｂ＊ｒを求める。なお、印刷機６の紙白に対応するＬ＊ａ＊ｂ＊値が校正用カラープリンタ４の色域に含まれていない場合には、Ｌ＊ａ＊ｂ＊値を変更して色域内に写像する。この写像処理は、例えば明度を示すＬ＊値のみを変更することにより行われる。このとき、写像によるＬ＊ａ＊ｂ＊値の変更量を小さくするために色域の境界上に写像することが望ましい。この写像処理を行う場合には、写像後のＬ＊ａ＊ｂ＊値を上記のＬ＊ｒ、ａ＊ｒ、ｂ＊ｒとする。
【００９８】
続いて、図６のＳ１３に示すように、印刷機６の紙白に対応する値Ｌ＊ｒ、ａ＊ｒ、ｂ＊ｒを、校正用カラープリンタ４の基準白色として設定する。即ち、校正用カラープリンタ４のデバイスカラープロファイル３３においてＣ＝Ｍ＝Ｙ＝Ｋ＝０と値Ｌ＊ｒ、ａ＊ｒ、ｂ＊ｒとを対応させる。この対応関係は、ＲＡＭ３０２或いはＲＯＭ３０３（又はＨＤＤ３０４）に一時的に記憶される。
【００９９】
次に、印刷機６の紙白を示すＬ＊ｐ、ａ＊ｐ、ｂ＊ｐと、校正用カラープリンタ４の基準白色を示す値Ｌ＊ｒ、ａ＊ｒ、ｂ＊ｒとを基に、Ｌ＊ａ＊ｂ＊表色系の色空間全体の調整を行う。この調整は、図９のフローチャートにしたがって行われる。
【０１００】
（紙白及び基準白色のＬ＊ａ＊ｂ＊値をＸＹＺ値に変換；Ｓ４１）
まず、Ｌ＊ａ＊ｂ＊／ＸＹＺ変換部３４に格納された変換式（上記の式１を参照）を用いて、印刷機６の紙白を示すＬ＊ｐ、ａ＊ｐ、ｂ＊ｐをＸｄｐ、Ｙｄｐ、Ｚｄｐに変換し、同様に、校正用カラープリンタ４の基準白色を示すＬ＊ｒ、ａ＊ｒ、ｂ＊ｒをＸｄｒ、Ｙｄｒ、Ｚｄｒに変換する（上記の式３を参照）。更に、このＸｄｐ、Ｙｄｐ、Ｚｄｐ及びＸｄｒ、Ｙｄｒ、Ｚｄｒをそれぞれ変換して、上記の式４で与えられるＸＹＺ表色系の値Ｘｐ／Ｘ０、Ｙｐ／Ｙ０、Ｚｐ／Ｚ０及びＸｒ／Ｘ０、Ｙｒ／Ｙ０、Ｚｒ／Ｚ０を求める。
【０１０１】
（紙白及び基準白色のＸＹＺ値をＲＧＢ値に変換；Ｓ４２）
続いて、ＸＹＺ／ＲＧＢ変換部３８に格納された上記の式８を用いてＸｐ／Ｘ０、Ｙｐ／Ｙ０、Ｚｐ／Ｚ０及びＸｒ／Ｘ０、Ｙｒ／Ｙ０、Ｚｒ／Ｚ０を変換し、ＲＧＢ値Ｒｐ、Ｇｐ、Ｂｐ及びＲｒ、Ｇｒ、Ｂｒをそれぞれ求める。これらの値は、次の式１０で与えられる。
【０１０２】
（式１０）
Ｒｐ＝（Ｘｐ／Ｘ０）×０．８９５１＋（Ｙｐ／Ｙ０）×０．２６６４
＋（Ｚｐ／Ｚ０）×（−０．１６１４）
Ｇｐ＝（Ｘｐ／Ｘ０）×（−０．７５０２）＋（Ｙｐ／Ｙ０）×１．７１３５
＋（Ｚｐ／Ｚ０）×０．０３６７
Ｂｐ＝（Ｘｐ／Ｘ０）×０．０３８９＋（Ｙｐ／Ｙ０）×（−０．０６８５）
＋（Ｚｐ／Ｚ０）×１．０２９６
及び
Ｒｒ＝（Ｘｒ／Ｘ０）×０．８９５１＋（Ｙｒ／Ｙ０）×０．２６６４
＋（Ｚｒ／Ｚ０）×（−０．１６１４）
Ｇｒ＝（Ｘｒ／Ｘ０）×（−０．７５０２）＋（Ｙｒ／Ｙ０）×１．７１３５
＋（Ｚｒ／Ｚ０）×０．０３６７
Ｂｒ＝（Ｘｒ／Ｘ０）×０．０３８９＋（Ｙｒ／Ｙ０）×（−０．０６８５）
＋（Ｚｒ／Ｚ０）×１．０２９６
【０１０３】
（印刷機の各Ｌ＊ａ＊ｂ＊値をＲＧＢ値に変換；Ｓ４３、Ｓ４４）
次に、このＲｐ、Ｇｐ、Ｂｐ及びＲｒ、Ｇｒ、Ｂｒを用いて、ＣＭＹＫ→Ｌ＊ａ＊ｂ＊ ＬＵＴ３２１、３３１の各入力点に対応するＬ＊ａ＊ｂ＊値を補正する。そのために、Ｌ＊ａ＊ｂ＊／ＸＹＺ変換部３４に格納された上記式１に示す変換式を用いて各入力点ＣＭＹＫに対応するＬ＊ａ＊ｂ＊値を変換して、ＸＹＺ表色系の値Ｘ／Ｘ０、Ｙ／Ｙ０、Ｚ／Ｚ０を求め（Ｓ４３）、ＸＹＺ／ＲＧＢ変換部３８に格納された上記式８を用いてＸ／Ｘ０、Ｙ／Ｙ０、Ｚ／Ｚ０をＲ、Ｇ、Ｂに変換する（Ｓ４４）。
【０１０４】
（ＲＧＢ値の調整；Ｓ４５）
更に、このＲ、Ｇ、Ｂの値を、Ｒｐ、Ｇｐ、Ｂｐ及びＲｒ、Ｇｒ、Ｂｒを用いて次の式１１に示すＲ３、Ｇ３、Ｂ３を算出する。
【０１０５】
（式１１）
Ｒ３＝Ｒ×（Ｒｒ／Ｒｐ）
Ｇ３＝Ｇ×（Ｇｒ／Ｇｐ）
Ｂ３＝Ｂ×（Ｂｒ／Ｂｐ）
【０１０６】
（ＸＹＺ値に逆変換；Ｓ４６）
続いて、ＸＹＺ／ＲＧＢ変換部３８に格納された上記の式９を用いてＲ３、Ｇ３、Ｂ３をＸＹＺ表色系の値に変換する。ＸＹＺ表色系に変換された値をそれぞれＸ３／Ｘ０、Ｙ３／Ｙ０、Ｚ３／Ｚ０と表す。
【０１０７】
（Ｌ＊ａ＊ｂ＊値に逆変換；Ｓ４７）
更に、Ｌ＊ａ＊ｂ＊／ＸＹＺ変換部３４に格納された上記の式２を用いて、ＸＹＺ表色系の値Ｘ３／Ｘ０、Ｙ３／Ｙ０、Ｚ３／Ｚ０をＬ＊ａ＊ｂ＊値に戻す。そのために、第１の実施形態の場合と同様に、次式のように、Ｘ３／Ｘ０、Ｙ３／Ｙ０、Ｚ３／Ｚ０をＸｄ′′、Ｙｄ′′、Ｚｄ′′に変換しておく。
【０１０８】
（式１２）
Ｘｄ′′＝（Ｘ３／Ｘ０）＾（１／３）  （Ｘ３／Ｘ０＞０．００８８５６）
＝（Ｘ３／Ｘ０）×７．７８７＋１６／１１６  （それ以外のとき）
Ｙｄ′′＝（Ｙ３／Ｙ０）＾（１／３）  （Ｙ３／Ｙ０＞０．００８８５６）
＝（Ｙ３／Ｙ０）×７．７８７＋１６／１１６  （それ以外のとき）
Ｚｄ′′＝（Ｚ３／Ｚ０）＾（１／３）  （Ｚ３／Ｚ０＞０．００８８５６）
＝（Ｚ３／Ｚ０）×７．７８７＋１６／１１６  （それ以外のとき）
【０１０９】
更に、このＸｄ′′、Ｙｄ′′、Ｚｄ′′をＬ＊ａ＊ｂ＊／ＸＹＺ変換部３４に格納された上記の式２のＸｄ、Ｙｄ、Ｚｄにそれぞれ代入してＬ＊ａ＊ｂ＊値に変換する。これにより、印刷機６の紙白に応じた補正が施されたＬ＊ａ＊ｂ＊値Ｌ＊′′、ａ＊′′、ｂ＊′′が得られる。
【０１１０】
印刷機６のＣＭＹＫの各組合せ毎に上記の処理を実行して得られるＬ＊ａ＊ｂ＊値Ｌ＊′′、ａ＊′′、ｂ＊′′を用いて、デバイスリンクカラープロファイル３５が作成される（図６のフローチャートに示すＳ１５段階及びＳ１６段階参照）。
【０１１１】
このような本実施形態の色調整方法によれば、人間の眼の感度に相当するＲＧＢ表色系の値を用いて調整されたＬ＊ａ＊ｂ＊値を基にデバイスリンクカラープロファイル３５が作成されるので、高い精度で色合わせを行うことができる。
【０１１２】
なお、図８に示すようにＬ＊ａ＊ｂ＊／ＸＹＺ変換部３４とＸＹＺ／ＲＧＢ変換部３８とを含んで構成する場合、印刷機６の紙白に応じた調整を、第１の実施形態のようにＸＹＺ表色系において行うか、又は本実施形態のようにＲＧＢ表色系において行うかを切り換えられるように構成してもよい。
【０１１３】
第１及び第２の実施形態として説明したような本発明の色調整方法は、コンピュータ、特に実施形態中の画像変換装置、により実行可能なプログラムに則って行われる。このプログラムは、上記コンピュータによって読み取り可能な情報記録媒体に記録されている。このような情報記録媒体としては上記コンピュータの形態に基づき任意のものを使用することができる。例えば、ＣＤ−ＲＯＭ、フロッピー（登録商標）ディスク等の持ち運び可能なものや、ＲＯＭ、ＨＤＤ等の上記コンピュータに搭載されたものなど、当該プログラムを記録可能なあらゆるタイプの情報記録媒体が含まれている。
【０１１４】
以上詳述した構成は、本発明を実施するための一形態に過ぎないものであり、本発明の範囲内における構成の変形や変更、追加等を適宜施すことができる。例えば、印刷機と校正用カラープリンタとの間の色合わせだけでなく、任意の複数の画像出力装置の出力色を合わせる色調整に本発明を適用することができる。
【図面の簡単な説明】
【０１１５】
【図１】本発明に係る色調整方法の第１の実施の形態を実行するための画像出力システムの概略構成の一例を示すブロック図である。
【図２】本発明に係る色調整方法の第１の実施の形態を実行するための画像出力システムに含まれる画像変換装置の概略構成の一例を示す機能ブロック図である。
【図３】本発明に係る色調整方法の第１の実施の形態を実行するための画像出力システムに含まれる画像変換装置のハードウェア構成の一例を示すブロック図である。
【図４】本発明に係る色調整方法の第１の実施の形態を実行するための画像出力システムで用いられるカラーチャートの概略構成の一例を示す図である。
【図５】本発明に係る色調整方法の第１の実施の形態により実行される処理の一例を示すフローチャートである。
【図６】本発明に係る色調整方法の第１の実施の形態により実行される処理の一例を示すフローチャートである。
【図７】本発明に係る色調整方法の第１の実施の形態により実行される処理の一例を示すフローチャートである。
【図８】本発明に係る色調整方法の第２の実施の形態を実行するための画像出力システムに含まれる画像変換装置の概略構成の一例を示す機能ブロック図である。
【図９】本発明に係る色調整方法の第２の実施の形態により実行される処理の一例を示すフローチャートである。
【符号の説明】
【０１１６】
１Ａ、１Ｂ、１Ｃ  画像編集端末
２  ＲＩＰ（Ｒａｓｔｅｒ Ｉｍａｇｅ Ｐｒｏｃｅｓｓｏｒ）
３  画像変換装置
３１  演算制御部
３２  印刷機のデバイスカラープロファイル（第１のカラープロファイル）
３２１  ＣＭＹＫ→Ｌ＊ａ＊ｂ＊ ＬＵＴ（第１のルックアップテーブル）
３２２  Ｌ＊ａ＊ｂ＊→ＣＭＹＫ ＬＵＴ（第２のルックアップテーブル）
３３  校正用カラープリンタのデバイスカラープロファイル（第１のカラープ
ロファイル）
３３１  ＣＭＹＫ→Ｌ＊ａ＊ｂ＊ ＬＵＴ（第１のルックアップテーブル）
３３２  Ｌ＊ａ＊ｂ＊→ＣＭＹＫ ＬＵＴ（第２のルックアップテーブル）
３４  Ｌ＊ａ＊ｂ＊／ＸＹＺ変換部
３５  デバイスリンクカラープロファイル（第２のカラープロファイル）
３８  ＸＹＺ／ＲＧＢ変換部
４  校正用カラープリンタ（第２の画像出力装置）
１００  カラープルーフ／カラーチャート
５  ＣＴＰ出力装置
６  印刷機（第１の画像出力装置）
Ｆ  印刷物／カラーチャート
７  測色計
【図１】
2005064841.tif 000003
【図２】
2005064841.tif 000004
【図３】
2005064841.tif 000005
【図４】
2005064841.tif 000006
【図５】
2005064841.tif 000007
【図６】
2005064841.tif 000008
【図７】
2005064841.tif 000009
【図８】
2005064841.tif 000010
【図９】
2005064841.tif 000011